(57)【要約】【課題】１つの操作釦に複数の機能を割り当てる場合に分かりやすい操作とすることができる。【解決手段】遠隔操作装置は、複数の機能に対する操作が割り当てられた操作子と、操作子に対応して設けられた発光部と、発光部を非点灯状態に制御しているときに操作子に対して操作がされた場合、第１の機能に対する操作として受け付けるとともに、当該受け付けた後、発光部を予め設定された期間点灯状態に制御するとともに、当該期間に操作子に対して操作がされた場合、第２の機能に対する操作として受け付ける制御部と、を備える。【選択図】図３
2017059917.tif 000002
【特許請求の範囲】
【請求項１】
複数の機能に対する操作が割り当てられた操作子と、
前記操作子に対応して設けられた発光部と、
前記発光部を非点灯状態に制御しているときに前記操作子に対して操作がされた場合、第１の機能に対する操作として受け付けるとともに、当該受け付けた後、前記発光部を予め設定された期間点灯状態に制御するとともに、当該期間に前記操作子に対して操作がされた場合、第２の機能に対する操作として受け付ける制御部と、
を備える遠隔操作装置。
【請求項２】
前記制御部は、
前記発光部を点灯状態に制御しているときに前記操作子に対して操作がされた場合、前記第２の機能に対する操作として受け付けるとともに、当該受け付けた後、前記発光部を非点灯状態に制御する、
請求項１に記載の遠隔操作装置。
【請求項３】
前記制御部は、
前記発光部を点灯状態に制御しているときに前記操作子に対して複数回の操作を受け付ける、
請求項１に記載の遠隔操作装置。
【請求項４】
前記制御部は、
前記発光部を点灯状態に制御しているときに前記操作子に対して操作がされた場合、前記発光部を点灯状態に制御する期間を延長する、
請求項３に記載の遠隔操作装置。
【請求項５】
操作子と、前記操作子に対応して設けられた発光部と、を備えた遠隔操作装置における制御方法であって、
前記発光部を非点灯状態に制御しているときに前記操作子に対して操作がされた場合、第１の機能に対する操作として受け付けるとともに、当該受け付けた後、前記発光部を予め設定された期間点灯状態に制御するとともに、当該期間に前記操作子に対して操作がされた場合、第２の機能に対する操作として受け付ける、
制御方法。
【請求項６】
操作子と、前記操作子に対応して設けられた発光部と、を備えた遠隔操作装置としてのコンピュータに、
前記発光部を非点灯状態に制御しているときに前記操作子に対して操作がされた場合、第１の機能に対する操作として受け付けるステップと、
前記第１の機能に対する操作として受け付けた後、前記発光部を予め設定された期間点灯状態に制御するステップと、
前記発光部を点灯状態に制御している期間に前記操作子に対して操作がされた場合、第２の機能に対する操作として受け付けるステップと、
を実行させるためのプログラム。
【発明の詳細な説明】
【技術分野】
【０００１】
本発明は、遠隔操作装置、制御方法、及びプログラムに関する。
【背景技術】
【０００２】
テレビジョン受信装置の選局は、主にリモートコントローラ（以下、リモコンという）を用いた操作で行われる。例えば、特許文献１には、インターネット等のネットワークへの接続機能を有するテレビジョン受信装置のリモコンに関する技術が開示されている。この特許文献１に記載のリモコンは、数字キーを、テレビの制御機能に用いるか、またはネットワーク上のサイトにアクセスするための入力機能に用いるかを切り替えるスライドスイッチ（シャッター）を備えている。
【先行技術文献】
【特許文献】
【０００３】
【特許文献１】特開２００９−３３５３３号公報
【発明の概要】
【発明が解決しようとする課題】
【０００４】
ところで、デジタル放送においてスーパーハイビジョン（ＳＨＶ：Ｓｕｐｅｒ  Ｈｉ−Ｖｉｓｉｏｎ）放送が開始されるが、開始当初はハイビジョン（ＨＶ：Ｈｉ−Ｖｉｓｉｏｎ）放送も同時に放送されることになる。この場合、例えば特許文献１に記載されているような従来のリモコンでは、ＨＶとＳＨＶを切り替えることはできない。そこで、ＨＶとＳＨＶを容易に選局できるようにリモコンに操作釦を追加することが検討されている。但し、ＳＨＶのサービス開始直後は、ＳＨＶに参入する放送事業者が少ない可能性もあり、リモコンにＳＨＶ用の操作釦が搭載されるかどうかも不透明である。そのため、リモコンの既存の操作釦を併用することでＳＨＶに遷移することも検討されている。しかしながら、既存の操作釦を併用する場合、リモコン操作が複雑になる可能性がある。
【０００５】
本発明は上記の点に鑑みてなされたものであり、１つの操作釦に複数の機能を割り当てる場合に分かりやすい操作とすることができる遠隔操作装置、制御方法、及びプログラムを提供することを課題とする。
【課題を解決するための手段】
【０００６】
本発明は上記の課題を解決するためになされたものであり、本発明の一態様は、複数の機能に対する操作が割り当てられた操作子と、前記操作子に対応して設けられた発光部と、前記発光部を非点灯状態に制御しているときに前記操作子に対して操作がされた場合、第１の機能に対する操作として受け付けるとともに、当該受け付けた後、前記発光部を予め設定された期間点灯状態に制御するとともに、当該期間に前記操作子に対して操作がされた場合、第２の機能に対する操作として受け付ける制御部と、を備える遠隔操作装置である。
【０００７】
また、本発明の一態様は、上記遠隔操作装置において、前記制御部は、前記発光部を点灯状態に制御しているときに前記操作子に対して操作がされた場合、前記第２の機能に対する操作として受け付けるとともに、当該受け付けた後、前記発光部を非点灯状態に制御する。
【０００８】
また、本発明の一態様は、上記遠隔操作装置において、前記制御部は、前記発光部を点灯状態に制御しているときに前記操作子に対して複数回の操作を受け付ける。
【０００９】
また、本発明の一態様は、上記遠隔操作装置において、前記制御部は、前記発光部を点灯状態に制御しているときに前記操作子に対して操作がされた場合、前記発光部を点灯状態に制御する期間を延長する。
【００１０】
また、本発明の一態様は、操作子と、前記操作子に対応して設けられた発光部と、を備えた遠隔操作装置における制御方法であって、前記発光部を非点灯状態に制御しているときに前記操作子に対して操作がされた場合、第１の機能に対する操作として受け付けるとともに、当該受け付けた後、前記発光部を予め設定された期間点灯状態に制御するとともに、当該期間に前記操作子に対して操作がされた場合、第２の機能に対する操作として受け付ける、制御方法である。
【００１１】
また、本発明の一態様は、操作子と、前記操作子に対応して設けられた発光部と、を備えた遠隔操作装置としてのコンピュータに、前記発光部を非点灯状態に制御しているときに前記操作子に対して操作がされた場合、第１の機能に対する操作として受け付けるステップと、前記第１の機能に対する操作として受け付けた後、前記発光部を予め設定された期間点灯状態に制御するステップと、前記発光部を点灯状態に制御している期間に前記操作子に対して操作がされた場合、第２の機能に対する操作として受け付けるステップと、  を実行させるためのプログラムである。
【発明の効果】
【００１２】
本発明によれば、１つの操作釦に複数の機能を割り当てる場合に分かりやすい操作とすることができる。
【図面の簡単な説明】
【００１３】
【図１】第１の実施形態に係る受信装置の構成の一例を示すブロック図。
【図２】第１の実施形態に係るリモコンの一例を示す外観図。
【図３】第１の実施形態に係るリモコンの機能構成の一例を示すブロック図。
【図４】第１の実施形態において、ＳＨＶに遷移させる操作を説明する説明図。
【図５】第１の実施形態において、２つの機能に対する操作の判定を説明する説明図。
【図６】第１の実施形態に係る操作制御処理の一例を示すフローチャート。
【図７】第１の実施形態に係る受信装置の選局処理を示すフローチャート。
【図８】第２の実施形態において、ＳＨＶに遷移させる操作を説明する説明図。
【発明を実施するための形態】
【００１４】
以下、図面を参照して、本発明の一実施形態について説明する。
[第１の実施形態]
本発明の第１の実施形態について説明する。
（受信装置の構成）
図１は、第１の実施形態に係る受信装置１０の構成の一例を示すブロック図である。受信装置１０は、地上デジタル放送、ＢＳ（Ｂｒｏａｄｃａｓｔｉｎｇ  Ｓａｔｅｌｌｉｔｅ）デジタル放送、及びＣＳ（Ｃｏｍｍｕｎｉｃａｔｉｏｎ  Ｓａｔｅｌｌｉｔｅ）デジタル放送等を受信するテレビジョン受信装置の一例である。ここでは、地上デジタル放送、ＢＳデジタル放送、及びＣＳデジタル放送を用いて放送される番組の一部または全部は、ハイビジョン（ＨＶ：Ｈｉ−Ｖｉｓｉｏｎ）とスーパーハイビジョン（ＳＨＶ：Ｓｕｐｅｒ  Ｈｉ−Ｖｉｓｉｏｎ）とで放送されるものとする。ＳＨＶは、ＨＶより解像度が高い超高精細映像システムである。例えば、同一の番組でＨＶによる放送サービスとＳＨＶによる放送サービスとが同時に提供されている場合、ユーザーは、番組を視聴する際にＨＶとＳＨＶとのいずれを視聴するかを選択できる。
【００１５】
受信装置１０は、ＨＶとＳＨＶとのいずれの放送サービスも受信可能であり、ＨＶとＳＨＶとのいずれか選択された方の放送サービスを受信する。以下、図１を参照して、受信装置１０の構成について詳しく説明する。
受信装置１０は、デジタル放送受信用アンテナ１０２と、デジタルチューナー部１０４と、デジタル復調部１０６と、分離部（ＤＭＵＸ（ｄｅｍｕｌｔｉｐｌｅｘｅｒ；デマルチプレクサ））１０７と、ビデオデコード／キャプチャ部１０８と、ビデオセレクタ部１０９と、ＥＰＧ／ＯＳＤ／予約処理部１１０と、オーディオデコード部１１１と、ビデオ出力変換部１１２と、オーディオセレクタ部１１３と、オーディオ出力変換部１１４と、選局部１１５と、ＲＡＭ１１６と、ＣＰＵ１１７と、表示部１１８と、スピーカ１１９と、不揮発性メモリ１２０と、通信制御部１２１と、リモコン受光部１２２と、ＩＰ放送チューナー部１２５と、を含んで構成される。
【００１６】
デジタルチューナー部１０４は、デジタル放送受信用アンテナ１０２を介して受信するデジタルテレビ放送信号（地上デジタル放送、ＢＳデジタル放送、及びＣＳデジタル放送などの放送信号）を選局するもので、選局部１１５からの選局指示に応じて受信する放送局（または、放送サービス）の選局をおこなう。デジタルチューナー部１０４からの受信信号は、デジタル復調部１０６にて復調され、分離部（ＤＭＵＸ）１０７に送られる。
【００１７】
なお、図示する例では、１つのデジタル放送受信用アンテナ１０２及び１つのデジタルチューナー部１０４等がＨＶとＳＨＶのいずれの放送サービスにも対応している構成としているが、これに限られるものではない。例えば、受信装置１０は、ＨＶの放送サービスに対応したデジタル放送受信用アンテナ及びデジタルチューナー部等と、ＳＨＶの放送サービスに対応したデジタル放送受信用アンテナ及びデジタルチューナー部等とをそれぞれ備えてもよい。
【００１８】
ＩＰ放送チューナー部１２５は、電話回線やＬＡＮ（Ｌｏｃａｌ  Ａｒｅａ  Ｎｅｔｗｏｒｋ；構内通信網）等に接続された通信制御部１２１を介して受信するＩＰ（Ｉｎｔｅｒｎｅｔ  Ｐｒｏｔｃｏｌ；インターネットプロトコル）放送を選局するもので、選局部１１５からの選局指示に応じて受信する特定のＩＰ放送を選局し、出力を分離部（ＤＭＵＸ）１０７に送る。
【００１９】
分離部（ＤＭＵＸ）１０７は、デジタル復調部１０６またはＩＰ放送チューナー部１２５から入力された、多重化された映像データ、音声データを分離し、映像データをビデオデコード／キャプチャ部１０８に送り、音声データをオーディオデコード部１１１に送る。さらに、分離部（ＤＭＵＸ）１０７は、放送信号に含まれるＥＰＧデータ等のデータを抽出し、ＥＰＧ／ＯＳＤ／予約処理部１１０に送る。なお、分離部（ＤＭＵＸ）１０７によって抽出された放送波信号は、必要に応じてＣＰＵ１１７による書き込み制御によりＲＡＭ１１６に記録される。
【００２０】
ビデオデコード／キャプチャ部１０８は、分離部（ＤＭＵＸ）１０７によって分離された映像データをデコードしたり、映像データに含まれるビデオ情報を静止画としてキャプチャしたりする。上記ビデオデコード／キャプチャ部１０８によってデコードされた映像信号は、ビデオセレクタ部１０９に送られる。
【００２１】
ビデオセレクタ部１０９には、既に説明したとおり、デジタルチューナー部１０４からの映像信号が入力されており、また、外部入力部（図示せず）からの映像信号も入力されている。ビデオセレクタ部１０９は、これらの入力映像信号から１つの映像信号を選んで出力し、ビデオ出力変換部１１２に送る。
【００２２】
ビデオ出力変換部１１２は、受信した映像データを表示部１１８に表示させるための駆動回路を含む部分であり、加算回路によって加算された、ＥＰＧ／ＯＳＤ／予約処理部１１０からの電子番組表（ＥＰＧ；Ｅｌｅｃｔｒｏｎｉｃ  Ｐｒｏｇｒａｍ  Ｇｕｉｄｅ）データ、或いは、ＯＳＤ（Ｏｎ  Ｓｃｒｅｅｎ  Ｄｉｓｐｌａｙ；オンスクリーンディスプレイ）データを、ビデオセレクタ部１０９からの映像データに加えて表示部１１８に送る。表示部１１８は、送られてきた映像データを画面上に表示する。
【００２３】
オーディオデコード部１１１は、分離部（ＤＭＵＸ）１０７によって分離された音声データをデコードするものである。オーディオデコード部１１１は、デコードした音声信号をオーディオセレクタ部１１３に送る。
オーディオセレクタ部１１３では、外部入力部（図示せず）からの音声信号、および、オーディオデコード部１１１からの音声信号を受け、ビデオセレクタ部１０９で選択された映像信号に対応した音声信号を選択し、オーディオ出力変換部１１４を介して音声信号をスピーカ１１９に送る。オーディオ出力変換部１１４は、受信した音声信号をスピーカ１１９での再生に最適な信号に変換してスピーカ１１９に供給する。
【００２４】
リモコン受光部１２２は、リモコン２０からの光信号を受信して、当該リモコン２０から送信されるリモコン信号（制御信号）を受け付ける。ユーザーからの指示、選局、放送サービスの切替等は、このリモコン２０を介して行われる。リモコン２０の構成については、後述する。
【００２５】
ＥＰＧ／ＯＳＤ／予約処理部１１０は、定期的に更新保存されたＥＰＧデータに基づき電子番組表を作成し、また、予め決められたレイアウト情報等に基づき、画像データ、文字データ、基本図形等を組み合わせてＯＳＤデータを作成する。ＯＳＤデータとは、例えば、予め不揮発性メモリ１２０に記憶された設定メニュー画面、音量ゲージ、現在時刻、選局チャンネル等の各種情報を描画するためのデータである。また、ＥＰＧ／ＯＳＤ／予約処理部１１０は、前記の電子番組表を利用して番組の予約処理等をおこなう。
通信制御部１２１は、電話回線、ＬＡＮ、インターネット等のネットワーク網を介して通信を確立させるように制御をおこなう。
【００２６】
（リモコンの構成）
次に、図２、３を参照してリモコン２０の構成について説明する。リモコン２０は、受信装置１０に対してリモコン信号（制御信号）を送信する遠隔操作装置の一例である。例えば、リモコン２０は、受信装置１０で受信する放送サービス（放送方式、放送ネットワークなど）を選択する機能を有するリモコンである。
図２は、第１の実施形態に係るリモコン２０の一例を示す外観図である。この図２では、リモコン２０に設けられているリモコンキーの一部を図示している。図示する地Ｄ釦２１、ＢＳ釦２２、及びＣＳ釦２３は、それぞれ地上デジタル放送、ＢＳデジタル放送、及びＣＳデジタル放送を選択するための操作釦として機能する。さらに、地Ｄ釦２１、ＢＳ釦２２、及びＣＳ釦２３は、ＳＨＶに遷移させるための操作釦としての機能も併せて有している。即ち、地Ｄ釦２１、ＢＳ釦２２、及びＣＳ釦２３のそれぞれには、複数の機能に対する操作が割り当てられている。また、地Ｄ釦２１、ＢＳ釦２２、及びＣＳ釦２３のそれぞれを個別に点灯状態にできる発光部２０３（図３参照）が、各操作釦に対応して設けられている。この地Ｄ釦２１、ＢＳ釦２２、及びＣＳ釦２３の操作については後述する。
【００２７】
数字キー２５は、選局用の操作釦であり、図示する例では、「１」〜「１２」の１２個の数字キー２５が設けられている。なお、図示を省略しているが、リモコン２０には、入力切替釦、音量釦、番組表を表示させるためのＥＰＧ釦、カラー釦（青、赤、緑、黄）などが設けられてもよい。
【００２８】
図３は、第１の実施形態に係るリモコン２０の機能構成の一例を示すブロック図である。リモコン２０は、送信部２０１と、操作受付部２０２と、発光部２０３と、制御部２０４とを備えている。送信部２０１は、リモコン２０から送信するリモコン信号を光信号に変換して送信する。操作受付部２０２は、リモコン２０に設けられたリモコンキーをユーザーが操作することに応じて、操作されたことを受け付けて操作されたリモコンキーを示す操作情報を制御部２０４に受け渡す。
【００２９】
発光部２０３は、リモコン２０に設けられた操作釦（例えば、地Ｄ釦２１、ＢＳ釦２２、ＣＳ釦２３）のそれぞれに対応して設けられており、各操作釦を個別に点灯状態または非点灯状態にするための発光素子を備えている。なお、リモコン２０には、複数の操作釦のそれぞれに対応する複数の発光素子（例えば、ＬＥＤ：Ｌｉｇｈｔ  Ｅｍｉｔｔｉｎｇ  Ｄｉｏｄｅ）を備えた発光部２０３が備えられていてものよいし、複数の操作釦のそれぞれに対応する複数の発光部２０３が備えられていてもよい。
【００３０】
制御部２０４は、操作受付部２０２から取得する操作情報に基づいて、操作されたリモコンキーに応じたリモコンコードを含むリモコン信号を生成して送信部２０１を介して送信する。また、制御部２０４は、操作受付部２０２から取得する操作情報に基づいて、操作釦（例えば、地Ｄ釦２１、ＢＳ釦２２、ＣＳ釦２３）のそれぞれに対応する発光部２０３を点灯状態または非点灯状態に制御する。なお、以下では、各操作釦に対応する発光部２０３を点灯状態または非点灯状態に制御することを、各操作釦を点灯状態または非点灯状態に制御するとも記述する。
【００３１】
ここで、本実施形態に係るリモコン２０において、複数の機能に対する操作が割り当てられている操作釦に対する操作について説明する。ここでは、ＢＳ釦２２を例に説明するが、地Ｄ釦２１及びＣＳ釦２３についても同様の操作が可能であってもよい。
【００３２】
図４は、本実施形態において、ＳＨＶに遷移させる操作を説明する説明図である。ＢＳ釦２２には、ＢＳデジタル放送を選択するための機能（第１の機能の一例）に対する操作と、ＳＨＶに遷移させるための機能（第２の機能の一例）に対する操作とが割り当てられている。以下、２つの機能に対する操作の処理について、図示する（１）〜（３）の順に説明する。
【００３３】
（１）初期状態（通常状態）では、制御部２０４は、ＢＳ釦２２を非点灯状態に制御している。
（２）ＢＳ釦２２を非点灯状態に制御しているときにＢＳ釦２２が押下された場合、制御部２０４は、ＢＳデジタル放送の選択に対する操作として受け付け、ＢＳ（ここでは、ＨＶのＢＳ）に遷移させるためのリモコン信号を生成して送信部２０１を介して送信する。また、制御部２０４は、ＢＳ釦２２が押下されたことに応じて、ＢＳ釦２２を点灯状態に制御する。例えば、制御部２０４は、予め設定された期間を点灯状態に制御する。
【００３４】
（３）制御部２０４は、ＢＳ釦２２を点灯状態に制御している期間にＢＳ釦２２（点灯中のＢＳ釦２２）が続けて押下された場合、ＳＨＶに遷移させる操作として受け付け、ＳＨＶ（ここでは、ＳＨＶのＢＳ）に遷移させるためのリモコン信号を生成して送信部２０１を介して送信する。また、制御部２０４は、ＢＳ釦２２が押下されたことに応じて、ＢＳ釦２２を消灯して非点灯状態に制御する。
【００３５】
ここで、制御部２０４が点灯状態に制御する予め設定された期間とは、１回目の操作がされた操作釦に対して続けて操作がされた場合に２回目の操作として受け付ける期間である。２回目の操作とは、１回目の操作とは異なる機能（ここでは、ＳＨＶへの遷移）に対する操作として定義されている。制御部２０４は、予め設定された期間を越えた後はＢＳ釦２２を非点灯状態に戻して１回目の操作と判定する。
【００３６】
なお、制御部２０４は、ＢＳ釦２２を点灯状態に制御しているときにＢＳ釦２２以外の操作釦が操作された場合には、ＢＳ釦２２に対して続けて２回目の操作がされなかったと判定し、ＢＳ釦２２を消灯して非点灯状態に制御する。
【００３７】
図５は、２つの機能に対する操作の判定を説明する説明図であり、１回目の操作と判定される期間と２回目の操作と判定される期間とを図示している。図示する例では、時刻ｔ１にＢＳ釦２２に１回目の押下がされた場合、時刻ｔ１から時刻ｔ２までの期間が予め設定された２回目の押下と判定される期間であり、ＢＳ釦２２が点灯状態である。つまり、ＢＳ釦２２が点灯状態にある時刻ｔ１から時刻ｔ２までの期間にＢＳ釦２２が押下された場合、ＳＨＶに遷移させるための機能に対する操作と判定される。
【００３８】
また、時刻ｔ１から時刻ｔ２までの期間にＢＳ釦２２が押下されなかった場合、予め設定された期間を越えた時刻ｔ２から時刻ｔ３までの期間は、２回目の押下であっても１回目の押下と判定される期間である。即ち、一定期間を越えた２回目の操作は１回目の操作と判定される。この時刻ｔ２から時刻ｔ３までの期間は、ＢＳ釦２２が非点灯状態である。つまり、ＢＳ釦２２が非点灯状態にある時刻ｔ２から時刻ｔ３までの期間にＢＳ釦２２が押下された場合、ＢＳデジタル放送の選択に対する操作と判定される。
【００３９】
（リモコンの操作制御処理の動作）
次に、図６を参照して、リモコン２０で実行される操作制御処理の動作を説明する。
図６は、第１の実施形態に係るリモコン２０で実行される操作制御処理の一例を示すフローチャートである。ここでは、図４、５を参照して説明した例と同様に、ＢＳ釦２２に対する操作を例に操作制御処理を説明する。また、ＢＳ釦２２は初期状態（通常状態）で非点灯状態であるものとして説明する。
【００４０】
リモコン２０は、ＢＳ釦２２を非点灯状態に制御するとともに、ＢＳ釦２２が押下されたか否かを判定する（ステップＳ１０１）。ＢＳ釦２２が押下されていないと判定された場合（ステップＳ１０１：ＮＯ）、リモコン２０は、ステップＳ１０１の処理に戻す。一方、ＢＳ釦２２が押下されたと判定された場合（ステップＳ１０１：ＹＥＳ）、リモコン２０は、１回目の操作と判定し、ＢＳデジタル放送の選択に対する操作として受け付ける（ステップＳ１０２）。
【００４１】
そして、リモコン２０は、ＢＳ（ここでは、ＨＶのＢＳ）に遷移させるためのリモコン信号を生成して送信部２０１を介して送信する（ステップＳ１０３）。また、リモコン２０は、ＢＳ釦２２が押下されたことに応じて、ＢＳ釦２２を点灯状態に制御するとともに、点灯状態の経過時間を計数するタイマー設定する（ステップＳ１０４）。
【００４２】
次に、リモコン２０は、設定したタイマーに基づいて、点灯状態が予め設定された時間以上経過したか否かを判定する（ステップＳ１０５）。点灯状態が予め設定された時間以上経過したと判定された場合（ステップＳ１０５：ＹＥＳ）、リモコン２０は、ＢＳ釦２２を消灯して非点灯状態に制御する（ステップＳ１０６）。即ち、リモコン２０は、ＢＳ釦２２を初期状態にしてステップＳ１０１の処理に戻す。
【００４３】
一方、点灯状態が予め設定された時間以上経過していないと判定された場合（ステップＳ１０５：ＮＯ）、リモコン２０は、ＢＳ釦２２が続けて押下されたか否かを判定する（ステップＳ１０７）。ＢＳ釦２２が押下されていないと判定された場合（ステップＳ１０７：ＮＯ）、リモコン２０は、ステップＳ１０５の処理に戻す。一方、ＢＳ釦２２が続けて押下されたと判定された場合（ステップＳ１０７：ＹＥＳ）、リモコン２０は、２回目の操作と判定し、ＳＨＶに遷移させる操作として受け付ける（ステップＳ１０８）。
【００４４】
そして、リモコン２０は、ＳＨＶ（ここでは、ＳＨＶのＢＳ）に遷移させるためのリモコン信号を生成して送信部２０１を介して送信する（ステップＳ１０９）。また、リモコン２０は、ＢＳ釦２２が押下されたことに応じて、ＢＳ釦２２を消灯して非点灯状態に制御する（ステップＳ１１０）。即ち、リモコン２０は、ＢＳ釦２２を初期状態にしてステップＳ１０１の処理に戻す。
【００４５】
（受信装置の動作）
次に、図７を参照して、受信装置１０の動作について説明する。
図７は、第１の実施形態に係る受信装置１０の選局処理を示すフローチャートである。
受信装置１０は、リモコン２０から送信されたリモコン信号を受信すると（ステップＳ２０１）、受信したリモコン信号を読み取り、選局先を判定する（ステップＳ２０２）。
【００４６】
ステップＳ２０２において選局先がＢＳあると判定された場合（即ち、ＢＳに遷移させるためのリモコン信号を受信した場合）、受信装置１０は、ＢＳ（ここでは、ＨＶのＢＳ）を選局し、選局したＨＶの放送サービスを受信する（ステップＳ２０５）。
【００４７】
一方、ステップＳ２０２において選局先がＳＨＶであると判定された場合（即ち、ＳＨＶに遷移させるためのリモコン信号を受信した場合）、受信装置１０は、ＳＨＶ（ここでは、ＳＨＶのＢＳ）を選局し、選局したＳＨＶの放送サービスを受信する（ステップＳ２０５）。
【００４８】
以上説明したように、本実施形態に係るリモコン２０は、複数の機能に対する操作が割り当てられたＢＳ釦２２（操作子の一例）と、このＢＳ釦２２に対応して設けられた発光部２０３とを備えている。そして、リモコン２０は、発光部２０３を非点灯状態に制御しているときにＢＳ釦２２に対して操作がされた場合、ＢＳデジタル放送を選択するための機能（第１の機能の一例）に対する操作として受け付けるとともに、当該受け付けた後、発光部２０３を予め設定された期間点灯状態に制御する。また、リモコン２０は、点灯状態に制御している期間にＢＳ釦２２に対して操作がされた場合、ＳＨＶに遷移させるための機能（第２の機能の一例）に対する操作として受け付ける。
【００４９】
このように、本実施形態に係るリモコン２０は、１つの操作釦が複数の機能を有し、操作釦が点灯している期間のみ機能が変更される。そのため、リモコン２０は、ユーザーが直観的に操作することができ、１つの操作釦に複数の機能を割り当てる場合にわかりやすい操作とすることができる。また、リモコン２０は、操作釦を点灯させることで、その時に有効な機能に対する操作を、わかりやすく誘導する効果がある。なお、第１の機能とは、例えば、ＢＳデジタル放送を選択するための機能であって、第１の放送サービス（放送方式、放送ネットワークなど）を選択する機能の一例であるともいえる。また、第２の機能とは、例えば、ＳＨＶに遷移させるための機能であって、第２の放送サービス（放送方式、放送ネットワークなど）を選択する機能の一例であるともいえる。
【００５０】
また、リモコン２０は、発光部２０３を点灯状態に制御しているときにＢＳ釦２２に対して操作がされた場合、ＳＨＶに遷移させるための機能（第２の機能の一例）対する操作として受け付けるとともに、当該受け付けた後、発光部２０３を非点灯状態に制御する。
これにより、リモコン２０は、点灯状態のＢＳ釦２２に対してＳＨＶに遷移させるための操作がされた後は、ＢＳ釦２２を非点灯状態にすることで、ＢＳデジタル放送を選択する操作を受け付けることがわかりやすくし、ユーザーの直観的が操作を可能とする。
【００５１】
なお、本実施形態では、ＳＨＶに遷移させるための機能を第２の機能として既存の操作釦（ＢＳ釦２２）の機能に加えて併用するようにしたが、ＳＨＶに遷移させるための機能に限らず任意の機能を一つの操作釦で併用してもよい。これにより、新たな機能が追加された場合に操作釦の増加を防ぐことや、既存の操作釦の数の削減にも有効である。
【００５２】
[第２の実施形態]
次に、本発明の第２の実施形態について説明する。本実施形態に係る受信装置１０及びリモコン２０の基本的な構成は、図１〜３に示す構成と同様であるが、リモコン２０の数字キー２５のそれぞれに複数の機能に対する操作が割り当てられており、発光部２０３が、数字キー２５のそれぞれを個別に点灯状態にできる発光部２０３（図３参照）が、各操作釦に対応して設けられている。本実施形態では、数字キー２５を用いてＳＨＶに遷移させる操作を説明する。なお、本実施形態では、図３に示す地Ｄ釦２１、ＢＳ釦２２、及びＣＳ釦２３は、リモコン２０に備えられていなくともよい。
【００５３】
図８は、第２の実施形態において、ＳＨＶに遷移させる操作を説明する説明図である。数字キー２５のそれぞれには、それぞれのチャンネル番号を選局するための機能（第１の機能の一例）と、ＢＳデジタル放送に遷移するための機能（第２の機能の一例）に対する操作と、ＳＨＶに遷移させるための機能（第３の機能の一例）に対する操作とが割り当てられている。以下、３つの機能に対する操作の処理について、図示する（１）〜（４）の順に説明する。なお、ここでは、地上デジタル放送を受信中であるし、「５」の数字キー２５が押下された場合を例として説明するが、他の数字キー２５が押下された場合も同様である。
【００５４】
（１）初期状態（通常状態）では、制御部２０４は、数字キー２５を非点灯状態に制御している。
（２）数字キー２５を非点灯状態に制御しているときに「５」の数字キー２５が押下された場合（１回目の操作）、制御部２０４は、地上デジタル放送のチャンネル「５」へ選局させるためのリモコン信号を生成して送信部２０１を介して送信する。また、制御部２０４は、「５」の数字キー２５が押下されたことに応じて、「５」の数字キー２５を点灯状態に制御する。例えば、制御部２０４は、予め設定された期間を点灯状態に制御する。
【００５５】
（３）制御部２０４は、「５」の数字キー２５を点灯状態に制御している期間に「５」の数字キー２５（点灯中の「５」の数字キー２５）が続けて押下された場合（２回目の操作、点灯状態では１回目の操作）、ＢＳデジタル放送の選択に対する操作として受け付ける。そして、制御部２０４は、ＢＳ（ここでは、ＨＶのＢＳ）のチャンネル「５」に遷移させるためのリモコン信号を生成して送信部２０１を介して送信する。また、制御部２０４は、「５」の数字キー２５が押下されたことに応じて、「５」の数字キー２５を点灯状態に制御する期間を延長して点灯状態を継続させる。例えば、制御部２０４は、「５」の数字キー２５が最後に押下されたときから予め設定された期間を点灯状態に制御する。
【００５６】
（４）制御部２０４は、「５」の数字キー２５を点灯状態に制御している期間に「５」の数字キー２５（点灯中の「５」の数字キー２５）がさらに続けて押下された場合（３回目の操作、点灯状態では２回目の操作）、ＳＨＶに遷移させる操作として受け付ける。そして、制御部２０４は、ＳＨＶ（ここでは、ＳＨＶのＢＳ）のチャンネル「５」に遷移させるためのリモコン信号を生成して送信部２０１を介して送信する。また、制御部２０４は、この「５」の数字キー２５が押下されたことに応じて、「５」の数字キー２５を消灯して非点灯状態に制御する（（１）の状態）。
【００５７】
なお、制御部２０４は、「５」の数字キー２５を点灯状態に制御しているときに「５」の数字キー２５以外の操作釦が操作された場合には、「５」の数字キー２５に対して続けて２回目または３回目の操作がされなかったと判定し、「５」の数字キー２５を消灯して非点灯状態に制御する。
【００５８】
また、各数字キー２５について、ＢＳデジタル放送の登録が無い場合やＳＨＶの放送サービスの登録が無い場合には、それぞれの操作はスキップされる。
【００５９】
以上説明したように、本実施形態では、リモコン２０は、発光部２０３を点灯状態に制御しているときに数字キー２５（操作子の一例）に対して複数回の操作を受け付ける。例えば、リモコン２０は、地上デジタル放送の受信中に、非点灯状態（初期状態、通常状態）の数字キー２５に対して１回目の操作がされると、操作された数字キー２５に対応する地上デジタル放送のチャンネルを選局するリモコン信号を送信し、当該数字キー２５を点灯状態に制御する。次に、点灯状態の数字キー２５に対して続けて２回目の操作がされると、リモコン２０は、ＢＳへ遷移させるリモコン信号を送信する。さらに、点灯状態の数字キー２５に対して続けて３回目の操作がされると、リモコン２０は、ＳＨＶへ遷移させるリモコン信号を送信する。
【００６０】
このように、本実施形態に係るリモコン２０は、数字キー２５に複数の機能を持たせ、操作釦が点灯している期間のみ機能を変更することで、第１の実施形態と同様に１つの操作釦に複数の機能を割り当てる場合にわかりやすい操作とすることができる。また、本実施形態では、点灯している期間にさらに複数の機能を持たせているので、より操作釦の数の削減にも有効である。
【００６１】
また、リモコン２０は、発光部２０３を点灯状態に制御しているときに数字キー２５に対して操作がされた場合、発光部２０３を点灯状態に制御する期間を延長する。
これにより、操作釦が点灯している期間に複数の機能を持たせた場合でも、点灯している期間が長くなりすぎたり短くなりすぎたりしないように、適切に増減させることができる。よって、リモコン２０は、一つの操作釦に複数の機能を割り当てる場合でも操作性を損なわないようにできる。
【００６２】
なお、本実施形態では、第１の機能は、例えば、チャンネル番号を選局するための機能であって、第１の放送サービス（放送方式、放送ネットワークなど）を選択する機能の一例であるともいえる。また、第２の機能とは、例えば、ＢＳデジタル放送に遷移するための機能であって、第２の放送サービス（放送方式、放送ネットワークなど）を選択する機能の一例であるともいえる。また、第３の機能は、ＳＨＶに遷移させるための機能であって、第３の放送サービス（放送方式、放送ネットワークなど）を選択する機能の一例であるともいえる。また、第２の機能と第３の機能とは、第１の機能とは異なる複数の第２の機能ということもできる。即ち、第２の放送サービス（放送方式、放送ネットワークなど）を選択する機能と第３の放送サービス（放送方式、放送ネットワークなど）を選択する機能とは、第１の放送サービス（放送方式、放送ネットワークなど）を選択する機能とは異なる複数の第２の放送サービス（放送方式、放送ネットワークなど）を選択する機能ということもできる。
【００６３】
なお、本実施形態では、ＢＳデジタル放送に遷移するための機能を第２の機能とし、ＳＨＶに遷移させるための機能を第３の機能として既存の操作釦（数字キー２５）の機能に加えて併用するようにしたが、併用する機能はこれらの機能に限らず任意の機能を一つの操作釦で併用してもよい。
【００６４】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、上述の第１、第２の実施形態において説明した各構成は、任意に組み合わせることができる。
【００６５】
なお、上記実施形態では、テレビジョン放送を受信する受信装置１０に対してリモコン信号（制御信号）を送信するリモコン２０を例に説明したが、受信装置１０以外の様々な機器に対してリモコン信号（制御信号）を送信する遠隔操作装置に本発明を適用することもできる。
【００６６】
なお、上述した実施形態における受信装置１０またはリモコン２０の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置１０またはリモコン２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００６７】
１０  受信装置、２０  リモコン、２１，２２，２３  操作釦、２５  数字キー、１０２  デジタル放送受信用アンテナ、１０４  デジタルチューナー部、１０６  デジタル復調部、１０７  分離部、１０８  ビデオデコード／キャプチャ部、１０９  ビデオセレクタ部、１１０  ＥＰＧ／ＯＳＤ／予約処理部、１１１  オーディオデコード部、１１２  ビデオ出力変換部、１１３  オーディオセレクタ部、１１４  オーディオ出力変換部、１１５  選局部、１１６  ＲＡＭ、１１７  ＣＰＵ、１１８  表示部、１１９  スピーカ、１２０  不揮発性メモリ、１２１  通信制御部、１２２  リモコン受光部、１２５  ＩＰ放送チューナー部、２０１  送信部、２０２  操作受付部、２０３  発光部、２０４  制御部
【図１】
2017059917.tif 000003
【図２】
2017059917.tif 000004
【図３】
2017059917.tif 000005
【図４】
2017059917.tif 000006
【図５】
2017059917.tif 000007
【図６】
2017059917.tif 000008
【図７】
2017059917.tif 000009
【図８】
2017059917.tif 000010